(57)【要約】【課題】鏡を忘れてしまったときや、携帯電話でメールやインターネット等を見るついでに顔の容姿等を見たいときに手軽に発明品を使用でき、まわりの人々にも、携帯電話でインターネットやメールを見ていると思わせることができる。【解決手段】本発明メールを見ながらミラーは、携帯電話でメールやインターネット等ディスプレイを見ている途中でもミラーを使えるように、携帯電話のディスプレイより上部に受話口を覆いかぶせるようにミラーを取り付け、受話口からの音声が聞こえるようにする為に、ミラーの裏側の受話口付近は空間部を設け、さらに、ミラー本体にも穴を開け、受話口からの音声を通す構造である。【選択図】          図１
2004159270.tif 000002
【特許請求の範囲】
【請求項１】
携帯電話でメールやインターネット等ディスプレイを見ている途中でもミラーを使えるように、携帯電話のディスプレイより上部に受話口を覆いかぶせるようにミラーを取り付け、受話口からの音声が聞こえるようにする為に、ミラーの裏側の受話口付近は空間部を設け、さらに、ミラー本体にも穴を開け、受話口からの音声を通すことが出来ることを特徴とするメールを見ながらミラー。
【請求項２】
携帯電話でメールやインターネット等ディスプレイを見ている途中でもミラーを使えるように、携帯電話の送話口を覆いかぶせるようにミラーを取り付け、送話口へ音声が伝わるようにする為に、ミラーの裏側の送話口付近は空間部を設け、さらに、ミラー本体にも穴を開け、音声がミラー本体から送話口へ通すことが出来ることを特徴とするメールを見ながらミラー。
【請求項３】
携帯電話でメールやインターネット等ディスプレイを見ている途中でもミラーを使えるように、携帯電話のディスプレイより下部にミラーを取り付けることを特徴とするメールを見ながらミラー。
【請求項４】
請求項１、請求項２及び請求項３のメールを見ながらミラーの表面に凸レンズを装置してレンズの性能を生かすことを特徴としたメールを見ながらミラー。同様に、請求項１、請求項２及び請求項３のメールを見ながらミラーの表面に凹レンズを装置してレンズの性能を生かすことを特徴としたメールを見ながらミラー。そして、カスタマーサティスファクションに答えるために、メールを見ながらミラーに加工及び装飾をすることを特徴としたメールを見ながらミラー。さらに、請求項１、請求項２及び請求項３のメールを見ながらミラーの、ミラーの性能を上げるために、サイズを大きくして製作し、そのときにアンテナ、ストラップ取り付け部、スピーカー、携帯電話のボタン、外部接続端子、イヤホンマイク端子、ランプや赤外ポート等の携帯電話の機能部があった場合は、その機能の妨げにならないことを考慮し、空間部を設けることにより、アンテナ、ストラップ取り付け部、スピーカー、携帯電話のボタン、外部接続端子、イヤホンマイク端子、ランプや赤外ポート等の機能部が使えることを特徴としたメールを見ながらミラー。
【発明の詳細な説明】
【０００１】
【発明の属する技術分野】
本発明は、携帯電話でメールやインターネットを見ている途中でも、ミラーを使えるようにしたメールを見ながらミラーに関する。
【０００２】
【従来の技術】
従来は、携帯電話のディスプレイのインターネットやメールを見ている状態及び姿勢で、一切の操作不要でミラーが使える物体が存在しなかったので、携帯電話でインターネットやメール等を見ている途中にミラーを使いたいときは不便であった。
【０００３】
【発明が解決しようとする課題】
従来は、駅のホーム、車や電車の中等で、携帯電話でインターネットやメール等を見ている途中にミラーを使いたいときは、その状態や姿勢を変えたり、何かの操作をしてミラーを使わなければならなく面倒であり、さらに、周りの人々がミラーを使って容姿を見ていると気づかれないか、気になるといった問題点があった。
【０００４】
本発明は、駅のホーム、車や電車の中等で、多くの人々が携帯電話でインターネットやメール等を見ている所を見かけたことがきっかけとなり、発案した特許であり、主に女性が電車の中等で鏡を取出して見ている状態がモラルに反しているという見解がある中、ちょっとした顔等の容姿を見たいときに、手軽に本発明品を使うことが出来て、まわりの人々にも、不快な思いをさせず、携帯電話でインターネットやメールを見ていると思わせることができることを目的としている。つまり、まわりに人が沢山いても、鏡を取り出すまでもなく、例えば、歯につまった食べ物を取りたいとき等に本発明品は活用できることを目的としている。また、鏡を忘れてしまったときや、携帯電話でメールやインターネット等を見るついでに顔の容姿等を見たいときにも手軽に発明品を使用できることを目的としている。そして、本来男性はめったに鏡を鞄に入れて持ち歩くことをしないし、電車や車の中等で鏡を使い、顔等の容姿を見ることが恥ずかしいと考えている人が多いが、こうした男性にも同様に効果的であり、本発明品はそうしたカスタマーの本質的ニーズを捉えていることを目的としている。さらに、構造面では特に請求項１と請求項２では、携帯電話でメールやインターネット等ディスプレイを見ている途中でもミラーを使えるようにすることが前提であるために、携帯電話の表面に本発明メールを見ながらミラーを取り付けなければならないが、携帯電話の表面には携帯電話を使用する際の機能部が多く取り付いている為に、本発明メールを見ながらミラーを取り付けるスペースが無くとても困難であったが、本発明メールを見ながらミラーと、特に携帯電話の受話部及び送話部を重視している携帯電話を使用する際の機能部の、両方の機能を同スペースで使用できる方法を研究の際に考案し、本発明メールを見ながらミラーのミラー部に穴を開け、空間部を設けることにより、携帯電話を使用する際に不可欠な音声伝達を可能にして、本発明メールを見ながらミラーを使用することが出来る画期的な発明であり、この発明で従来の問題点を解決することを目的としている。
【０００５】
【課題を解決するための手段】
上記目的を達成するために、請求項１の本発明メールを見ながらミラーにおいては、携帯電話でメールやインターネット等ディスプレイを見ている途中でもミラーを使えるようにするために、携帯電話の表面に本発明品を取り付けること、なるべく携帯電話のディスプレイ付近に広範囲で大きなミラーを取り付けること、そして、携帯電話の特に受話口の機能の妨げにならないことを考慮し、携帯電話のディスプレイより上部に受話口を覆いかぶせるように本発明品を取り付け、受話口からの音声が聞こえるようにする為に、本発明品の裏側の受話口付近は空間部を設け、さらに、本発明品であるミラー本体にも穴を開け、受話口からの音声を通すことが出来て、結果、それらの問題を解決している構造である。
【０００６】
また、上記目的を達成するために、請求項２の本発明メールを見ながらミラーにおいては、携帯電話でメールやインターネット等ディスプレイを見ている途中でもミラーを使えるようにするために、携帯電話の表面に本発明品を取り付けること、なるべく携帯電話に広範囲で大きなミラーを取り付けること、そして、携帯電話の特に送話口の機能の妨げにならないことを考慮し、携帯電話の送話口を覆いかぶせるように本発明品を取り付け、送話口へ音声が伝わるようにする為に、本発明品の裏側の送話口付近は空間部を設け、さらに、本発明品であるミラー本体にも穴を開けて、音声がミラー本体から送話口へ通すことが出来て、結果、それらの問題を解決している構造である。
【０００７】
そして、上記目的を達成するために、請求項３の本発明メールを見ながらミラーにおいては、携帯電話でメールやインターネット等ディスプレイを見ている途中でもミラーを使えるようにするために、携帯電話の表面に本発明品を取り付けること、なるべく携帯電話に広範囲で大きなミラーを取り付けること、そして、携帯電話の機能の妨げにならないことを考慮し、携帯電話のディスプレイより下部に本発明品を取り付けることで、それらの問題を解決している構造である。
【０００８】
さらに、上記目的を達成するために、請求項４の本発明メールを見ながらミラーにおいては、請求項１、請求項２及び請求項３のメールを見ながらミラーの表面に凸レンズを装置してレンズの性能を生かすことを特徴とし、同様に、請求項１、請求項２及び請求項３のメールを見ながらミラーの表面に凹レンズを装置してレンズの性能を生かすことを特徴とし、そして、メールを見ながらミラーに加工及び装飾をすることでカスタマーサティスファクションに答えることを特徴とした構造である。さらに、請求項１、請求項２及び請求項３のメールを見ながらミラーの、ミラーの性能を上げるために、サイズを大きくして製作し、そのときにアンテナ、ストラップ取り付け部、スピーカー、携帯電話のボタン、外部接続端子、イヤホンマイク端子、ランプや赤外ポート等の携帯電話の機能部があった場合は、その機能の妨げにならないことを考慮し、空間部を設けることにより、アンテナ、ストラップ取り付け部、スピーカー、携帯電話のボタン、外部接続端子、イヤホンマイク端子、ランプや赤外ポート等の機能部が使えることを特徴とした構造である。
【０００９】
【発明の実施の形態】
発明の実施の形態を実施例にもとづき図面を参照して説明する。
【００１０】
図１において、携帯電話でメールやインターネット等ディスプレイを見ている途中でもミラーを使えるように、携帯電話のディスプレイより上部に受話口を覆いかぶせるように装置部３を取り付け、受話口からの音声が聞こえるようにする為に、ミラー部１の裏側の受話口付近は空間部４を設け、さらに、本発明のメールを見ながらミラー本体にも穴２を開け、受話口からの音声を通すことが出来ることを示した図である。
【００１１】
図２に示される実施例では、携帯電話でメールやインターネット等ディスプレイを見ている途中でもミラーを使えるように、携帯電話の送話口を覆いかぶせるように装置部３を取り付け、送話口へ音声が伝わるようにする為に、ミラーの裏側の送話口付近は空間部４を設け、さらに、本発明のメールを見ながらミラー本体にも穴２を開け、音声がミラー本体から送話口へ通すことが出来る。
【００１２】
図３に示される実施例では、携帯電話でメールやインターネット等ディスプレイを見ている途中でもミラーを使えるように、携帯電話のディスプレイより下部に装置部３を取り付ける。
【００１３】
図４に示される実施例では、携帯電話でメールやインターネット等ディスプレイを見ている途中でもミラーを使えるように、携帯電話のディスプレイより上部に受話口を覆いかぶせるように装置部３を取り付け、受話口からの音声が聞こえるようにする為に、ミラー部１の裏側の受話口付近は空間部４を設け、そして、本発明のメールを見ながらミラー本体にも穴２を開け、受話口からの音声を通すことが出来る。さらに、ミラーの性能を上げるために、サイズを大きくして製作しているので、アンテナ、ストラップ取り付け部と赤外ポートの携帯電話の機能部には、それぞれの機能の妨げにならないようにアンテナの空間部５、ストラップ取り付け部の空間部６と赤外ポートの空間部７を設けて、それらの機能部が使える。
【００１４】
図５に示される実施例では、請求項１、請求項２及び請求項３のメールを見ながらミラー８の表面に凸レンズ９、凹レンズ１０を装置している。
【００１５】
図６に示される実施例では、請求項１のメールを見ながらミラー１１を携帯電話１２に装置していることを示している。
【００１６】
図７に示される実施例では、携帯電話１６に本発明メールを見ながらミラー１７を装置している使用例である。
【００１７】
【発明の効果】
本発明は、以上説明したように構成されているので、以下に記載されるような効果を奏する。
【００１８】
主に女性が電車の中等で鏡を取出して見ている状態がモラルに反しているという見解がある中、ちょっとした顔等の容姿を見たいときに、手軽に本発明品を使うことが出来て、まわりの人々にも、携帯電話でインターネットやメールを見ていると思わせることができる。つまり、まわりに人が沢山いても、鏡を取り出すまでもなく、例えば、歯につまった食べ物を取りたいとき等に本発明品は活用できる。
【００１９】
鏡を忘れてしまったときや、携帯電話でメールやインターネット等を見るついでに顔の容姿等を見たいときに手軽に発明品を使用できる。
【００２０】
本来男性はめったに鏡を鞄に入れて持ち歩くことをしないし、電車や車の中等で鏡を使い、顔等の容姿を見ることが恥ずかしいと考えている人が多いが、こうした男性にも同様に発明品を使用できる為に効果的であり、本発明品はそうしたカスタマーの本質的ニーズを捉えている。
【図面の簡単な説明】
【図１】請求項１のメールを見ながらミラーの実施例を示す表斜視図（ａ）、（ｃ）と裏斜視図（ｂ）、（ｄ）である。
【図２】請求項２のメールを見ながらミラーの実施例を示す表斜視図（ａ）、（ｃ）と裏斜視図（ｂ）、（ｄ）である。
【図３】請求項３のメールを見ながらミラーの実施例を示す表斜視図（ａ）と裏斜視図（ｂ）である。
【図４】請求項４で説明している本発明メールを見ながらミラーの、ミラーの性能を上げるために、サイズを大きくして製作した例の実施例を示す表斜視図（ａ）と裏斜視図（ｂ）である。
【図５】請求項４で説明している、本発明メールを見ながらミラー８の表面に凸レンズ９を装置している実施例を示す表斜視図（ａ）である。そして、請求項４で説明している、本発明メールを見ながらミラーの表面に凹レンズ１０を装置している実施例を示す表斜視図（ｂ）である。
【図６】請求項１のメールを見ながらミラー１１を携帯電話１２に装置していることを示している断面図（ａ）と使用図（ｂ）である。
【図７】携帯電話１６に本発明メールを見ながらミラー１７を装置している使用図（ａ）、（ｂ）、（ｃ）、（ｄ）である。
【符号の説明】
１    ミラー部
２    穴
３    装置部
４    空間部
５    アンテナの空間部
６    ストラップ取り付け部の空間部
７    赤外ポートの空間部
８    請求項１、請求項２及び請求項３のメールを見ながらミラー
９    凸レンズ
１０  凹レンズ
１１  請求項１のメールを見ながらミラー
１２  携帯電話
１３  ディスプレイ部
１４  受話部
１５  アンテナ
１６  携帯電話
１７  本発明メールを見ながらミラー
【図１】
2004159270.tif 000003
【図２】
2004159270.tif 000004
【図３】
2004159270.tif 000005
【図４】
2004159270.tif 000006
【図５】
2004159270.tif 000007
【図６】
2004159270.tif 000008
【図７】
2004159270.tif 000009